(57)【要約】【課題】一台以上の表示装置が一つのコンテンツを表示する場合の表示品質を向上させる。【解決手段】プロジェクタ１００ａは、コンテンツを取得する通信部１１３又は記録再生部１１４と、通信部１１３又は記録再生部１１４が、複数のプロジェクタ１００が表示するコンテンツを取得した場合、コンテンツを同時に表示する他のプロジェクタ１００ｂと同質の画像が見えるようにする第１の再生条件に基づいてコンテンツを表示させ、通信部１１３又は記録再生部１１４が、プロジェクタ１００ａが表示するコンテンツを取得した場合、第１の再生条件と異なる第２の再生条件に基づいてコンテンツを投影光学系１０１に投影させる制御部１０８と、を有する。【選択図】図２
2018010109.tif 000002
【特許請求の範囲】
【請求項１】
コンテンツを取得するコンテンツ取得手段と、
前記コンテンツ取得手段が、複数の表示装置が表示するための前記コンテンツを取得した場合、前記コンテンツを同時に表示する他の表示装置と同質の画像が見えるようにする第１の再生条件に基づいて前記コンテンツを表示手段に表示させ、前記コンテンツ取得手段が、単一の表示装置が表示するための前記コンテンツを取得した場合、前記第１の再生条件と異なる第２の再生条件に基づいて前記コンテンツを前記表示手段に表示させる表示制御手段と、
を有することを特徴とする表示装置。
【請求項２】
前記表示制御手段は、前記コンテンツ取得手段が、複数の表示装置に表示する前記コンテンツを取得した場合、前記第１の再生条件に対応する第１のフレームレートで前記コンテンツを表示手段に表示させ、前記コンテンツ取得手段が、単一の表示装置に表示する前記コンテンツを取得した場合、前記第２の再生条件に対応する第２のフレームレートで前記コンテンツを表示手段に表示させることを特徴とする、
請求項１に記載の表示装置。
【請求項３】
前記表示制御手段は、前記コンテンツ取得手段が、複数の表示装置に表示する前記コンテンツを取得した場合、前記他の表示装置が前記コンテンツを表示する際に使用可能な最大のフレームレートが、自身が前記コンテンツを表示する際に使用可能な最大のフレームレートよりも低い場合に、前記第１のフレームレートとして前記他の表示装置が使用可能な最大のフレームレートを用いることを特徴とする、
請求項２に記載の表示装置。
【請求項４】
前記表示制御手段は、前記コンテンツ取得手段が、単一の表示装置に表示する前記コンテンツを取得した場合、前記第２のフレームレートとして自身が前記コンテンツを表示する際に使用可能な最大のフレームレートを用いることを特徴とする、
請求項２又は３に記載の表示装置。
【請求項５】
前記表示制御手段は、前記コンテンツ取得手段が、複数の表示装置に表示する前記コンテンツを取得した場合、前記第１の再生条件に対応する第１の画質で前記コンテンツを表示手段に表示させ、前記コンテンツ取得手段が、単一の表示装置に表示する前記コンテンツを取得した場合、前記第２の再生条件に対応する第２の画質で前記コンテンツを表示手段に表示させることを特徴とする、
請求項１から４のいずれか一項に記載の表示装置。
【請求項６】
前記コンテンツ取得手段が複数の表示装置に表示する前記コンテンツを取得した場合に前記表示制御手段が使用する前記第１の再生条件と、前記コンテンツ取得手段が単一の表示装置に表示する前記コンテンツを取得した場合に前記表示制御手段が使用する前記第２の再生条件とを記憶する記憶手段をさらに有することを特徴とする、
請求項１から５のいずれか一項に記載の表示装置。
【請求項７】
前記第１の再生条件に対応する設定値の入力を受け付ける入力受付手段をさらに有することを特徴とする、
請求項１から６のいずれか一項に記載の表示装置。
【請求項８】
前記他の表示装置が前記コンテンツを表示している画面の撮像画像を取得する撮像画像取得手段をさらに有し、
前記表示制御手段は、前記撮像画像に基づいて前記第１の再生条件を決定することを特徴とする、
請求項１から７のいずれか一項に記載の表示装置。
【請求項９】
前記他の表示装置から前記他の表示装置の状態に関する状態情報を受信する通信手段をさらに有し、
前記第１の再生条件に基づいて前記コンテンツを表示手段に表示させる場合に、前記表示制御手段は、前記通信手段が受信した前記状態情報に基づいて前記コンテンツを表示手段に表示させることを特徴とする、
請求項１から７のいずれか一項に記載の表示装置。
【請求項１０】
前記表示制御手段は、前記コンテンツに関連付けられた情報に基づいて、前記コンテンツが複数の表示装置に表示するための画像であるか、単一の表示装置に表示するための画像であるかを判定することを特徴とする、
請求項１から９のいずれか一項に記載の表示装置。
【請求項１１】
前記コンテンツ取得手段は、複数の前記コンテンツを取得し、
前記表示制御手段は、前記複数のコンテンツを前記表示手段に表示させる所定のスケジュールに基づいて、前記複数のコンテンツから選択した前記コンテンツを前記表示手段に表示させることを特徴とする、
請求項１から１０のいずれか一項に記載の表示装置。
【請求項１２】
前記表示制御手段は、前記第１の再生条件に基づいて前記コンテンツを前記表示手段に表示する前に、前記他の表示装置との間で時刻を合わせることを特徴とする、
請求項１から１１のいずれか一項に記載の表示装置。
【請求項１３】
前記表示制御手段は、前記コンテンツを前記表示手段に表示する前に、前記他の表示装置に、前記コンテンツを表示させる指示を送信し、前記指示を送信してから所定の時間が経過した後に、前記コンテンツを前記表示手段に表示させることを特徴とする、
請求項１から１２のいずれか一項に記載の表示装置。
【請求項１４】
前記表示制御手段は、前記コンテンツのデコードが終了し、かつ前記指示を受信した前記他の表示装置からデコードが終了した旨の通知を受信したことに応じて、前記コンテンツを前記表示手段に表示させることを特徴とする、
請求項１３に記載の表示装置。
【請求項１５】
コンテンツを取得するステップと、
複数の表示装置が表示するための前記コンテンツを取得した場合、前記コンテンツを同時に表示する他の表示装置と同質の画像が見えるようにする第１の再生条件に基づいて前記コンテンツを表示手段に表示させ、単一の表示装置が表示するための前記コンテンツを取得した場合、前記第１の再生条件と異なる第２の再生条件に基づいて前記コンテンツを前記表示手段に表示させるステップと、
を有することを特徴とする表示制御方法。
【請求項１６】
第１の表示装置と、前記第１の表示装置と通信可能な第２の表示装置とを有する表示システムであって、
前記第１の表示装置は、コンテンツを取得するコンテンツ取得手段と、
前記コンテンツ取得手段が、複数の表示装置が表示するための前記コンテンツを取得した場合、前記コンテンツを同時に表示する他の表示装置と同質の画像が見えるようにする第１の再生条件に基づいて前記コンテンツを表示手段に表示させ、前記コンテンツ取得手段が、単一の表示装置が表示するための前記コンテンツを取得した場合、前記第１の再生条件と異なる第２の再生条件に基づいて前記コンテンツを前記表示手段に表示させる表示制御手段と、
を有することを特徴とする表示システム。
【発明の詳細な説明】
【技術分野】
【０００１】
本発明は、画像を表示する表示装置、表示制御方法及び表示システムに関するものである。
【背景技術】
【０００２】
近年、表示装置を用いたデジタルサイネージシステムが注目されている。デジタルサイネージシステムにおいては、一台の表示装置でコンテンツを再生する方法（以下、シングル再生、または単一表示という）のほかに、複数台の表示装置を組み合わせた多画面で一つのコンテンツを再生する方法（以下、マルチ同期再生という）が用いられている。特許文献１には、多画面に一つのコンテンツを表示するために、一台の表示装置が有する時刻情報を他の表示装置に送信することで、複数の表示装置間で時刻合わせをする技術が開示されている。
【先行技術文献】
【特許文献】
【０００３】
【特許文献１】特開２００８−２５２４２２号公報
【発明の概要】
【発明が解決しようとする課題】
【０００４】
特許文献１に開示された技術においては、一つのコンテンツを多画面で表示することが想定されているが、デジタルサイネージシステムにおいては、複数のコンテンツを、それぞれ異なる画面に表示することもある。マルチ同期再生時には、各表示装置間で表示の同期がとられていないと多画面での絵が破綻するため、コマ落ちが発生したとしても同期をとることが重要である。一方で、シングル再生時には、各表示装置間で再生すべきコンテンツが異なるため、各表示装置間で同期をとることが不可欠ではなく、各表示装置の処理能力に応じて再生をすることが望ましい。
【０００５】
例えば、一台目の表示装置が３０ｆｐｓで動画データを再生可能な処理能力を有しており、二台目の表示装置が２４ｆｐｓで動画データを再生可能な処理能力を有しているとする。これらの表示装置において、３０ｆｐｓの動画データのマルチ同期再生をする場合、一台目の表示装置は二台目の表示装置の能力に合わせて再生処理を実施する（つまり２４ｆｐｓで再生する）ことで、２つの表示装置間で映像更新タイミングを合わせる必要がある。しかしながら、一台目の表示装置がシングル再生をする場合にも３０ｆｐｓの動画データを２４ｆｐｓで再生をしてしまうと、再生する動画データの表示品質を過剰に低下させてしまう。このように、従来は、マルチ同期再生及びシングル再生のそれぞれに適した動画データの再生を行うことが困難であった。
【０００６】
そこで、本発明は上述した点に鑑みてなされたものであり、二台以上の表示装置が一つのコンテンツを表示する表示システムにおける表示品質を向上させることを目的とする。
【課題を解決するための手段】
【０００７】
上記の課題を解決するために、本発明の表示装置は、コンテンツを取得するコンテンツ取得手段と、前記コンテンツ取得手段が、複数の表示装置が表示するための前記コンテンツを取得した場合、前記コンテンツを同時に表示する他の表示装置と同質の画像が見えるようにする第１の再生条件に基づいて前記コンテンツを表示手段に表示させ、前記コンテンツ取得手段が、単一の表示装置が表示するための前記コンテンツを取得した場合、前記第１の再生条件と異なる第２の再生条件に基づいて前記コンテンツを前記表示手段に表示させる表示制御手段と、を有することを特徴とする。
【０００８】
本発明の表示制御方法は、コンテンツを取得するステップと、複数の表示装置が表示するための前記コンテンツを取得した場合、前記コンテンツを同時に表示する他の表示装置と同質の画像が見えるようにする第１の再生条件に基づいて前記コンテンツを表示手段に表示させ、単一の表示装置が表示するための前記コンテンツを取得した場合、前記第１の再生条件と異なる第２の再生条件に基づいて前記コンテンツを前記表示手段に表示させるステップと、を有することを特徴とする。
【発明の効果】
【０００９】
本発明によれば、二台以上の表示装置が一つのコンテンツを表示する表示システムにおける表示品質を向上させることができるという効果を奏する。
【図面の簡単な説明】
【００１０】
【図１】第１の実施形態に係る表示システムＳの構成を示す図である。
【図２】プロジェクタ１００の構成を示す図である。
【図３】スケジュール情報の一例を示す。
【図４】プロジェクタ１００ａ及びプロジェクタ１００ｂによる連携動作のフローチャートである。
【図５】プロジェクタ１００の記録媒体１１５に記録されているスケジュール情報の例を示す図である。
【図６】プロジェクタ１００が表示している画像の例を示す図である。
【図７】表示システムＳの変形例の構成を示す図である。
【発明を実施するための形態】
【００１１】
図１は、本実施形態に係る表示システムＳの構成を示す図である。表示システムＳは、同一のネットワークに接続された２台のプロジェクタ１００（１００ａ，１００ｂ）を備えている。プロジェクタ１００は、表示装置の一例であり、例えば液晶プロジェクタである。プロジェクタ１００は、投影面１５０に表示するべき画像に応じて、液晶素子の光の透過率を制御して、液晶素子を透過した光源からの光をスクリーンに投影することで、画像をユーザに提示することができる。
【００１２】
プロジェクタ１００ａ及びプロジェクタ１００ｂは、同等の構成及び機能を有している。プロジェクタ１００ａ及びプロジェクタ１００ｂは、ネットワークを介して互いにデータを送受信することができる。プロジェクタ１００ａ及びプロジェクタ１００ｂは、左右に隣接する投影面１５０（１５０ａ，１５０ｂ）に画像を投影することで、一つのコンテンツ（例えば、静止画又は動画）を複数の投影面１５０に表示するマルチ投影をすることができる。以下の説明において、プロジェクタ１００ａとプロジェクタ１００ｂとに共通する構成及び機能について説明する場合、プロジェクタ１００と称する。
【００１３】
図２は、プロジェクタ１００の構成を示す図である。プロジェクタ１００は、投影光学系１０１、液晶パネル１０２、光源１０３、光源制御部１０４、液晶駆動部１０５、光学系制御部１０６、接続部１０７、制御部１０８、画像処理部１０９、ＲＯＭ１１０、ＲＡＭ１１１、操作部１１２、通信部１１３、記録再生部１１４及び記録媒体１１５を有する。
【００１４】
投影光学系１０１は、出力する画像をスクリーンに投影する表示手段である。投影光学系１０１は、複数のレンズ及びレンズ駆動用のアクチュエータを有しており、レンズをアクチュエータにより駆動することで、投影画像の拡大、縮小及び焦点調整等を行うことができる。
【００１５】
液晶パネル１０２は、光源１０３から出射され、ミラー（不図示）で分離された各色の光（赤色（Ｒ）、緑色（Ｇ）、青色（Ｂ））から各色専用の画像を生成する。
光源制御部１０４は、後述する制御部１０８から送られる制御命令に基づいて、光源１０３の光量の調整、及び光の出射のＯＮ／ＯＦＦを制御する。
【００１６】
液晶駆動部１０５は、入力される映像信号に基づいて、ＲＧＢ各色を再現するための液晶パネル１０２の透過率を調整する。
光学系制御部１０６は、制御部１０８から送られる制御命令に基づいて、投影光学系１０１のズーム率、シフト量、フォーカス等を調整する。
【００１７】
接続部１０７は、映像出力装置及びハードディスク等の外部装置と接続するためのインターフェースである。プロジェクタ１００は、接続部１０７を介して、映像信号、音声信号、各種コントロール信号を外部装置との間で送受信する。
【００１８】
制御部１０８は、例えばＣＰＵ（Central Processing Unit）である。制御部１０８は、後述するＲＯＭ１１０に格納されているプログラムに基づいて各部への指示、プロジェクタ１００の内部の状態管理、及び投影モード管理等を実行する。例えば、制御部１０８は、光源制御部１０４、液晶駆動部１０５、光学系制御部１０６及び画像処理部１０９等を制御することにより、コンテンツを表示させる際の色調、輝度及びフレームレート等のコンテンツの再生条件を制御する。再生条件は、コンテンツを表示する際の色調、輝度及びフレームレートのように、コンテンツの見え方に影響を与える条件である。
【００１９】
プロジェクタ１００ａの制御部１０８は、通信部１１３又は記録再生部１１４が、複数のプロジェクタ１００に表示するマルチ同期再生用のコンテンツを取得した場合、他の表示装置であるプロジェクタ１００ｂと同質の画像が見えるように第１の再生条件に基づいてコンテンツを表示させる表示制御手段として機能する。制御部１０８は、通信部１１３又は記録再生部１１４が、単一のプロジェクタ１００に表示する単一表示再生用のコンテンツを取得した場合、第１の再生条件と異なる第２の再生条件に基づいてコンテンツを表示させる。
【００２０】
第１の再生条件は、例えば、プロジェクタ１００ａとプロジェクタ１００ｂのうち、性能が低いプロジェクタ１００の見え方と同質の見え方にするための色調、輝度及びフレームレート等の設定値により規定される。第２の再生条件は、例えば、プロジェクタ１００ａの性能を最大限に活用して最良の見え方にするための色調、輝度及びフレームレート等の設定値により規定される。プロジェクタ１００は、第１の再生条件に対応する設定値及び第２の再生条件に対応する設定値として、ユーザにより予め設定され、不揮発性メモリ（例えばＲＯＭ１１０）に記憶された設定値、又は他のプロジェクタ１００の性能や動作状況に関する状態情報に基づいて決定した設定値を用いることができる。
【００２１】
画像処理部１０９は、入力される画像の解像度変換処理、フレームレート変換処理、画像の形状変形処理、色調変換処理、エッジブレンド処理、ＯＳＤ（On Screen Display）オーバーラップ処理等の各種の処理を実行する。画像処理部１０９は、制御部１０８からの指示に基づいて、第１の再生条件又は第２の再生条件に基づいて、画像処理を実行する。
【００２２】
ＲＯＭ１１０は、制御部１０８が実行するプログラム、及び常に保持しておくべきテーブルデータを記憶する不揮発性メモリである。ＲＯＭ１１０は、マルチ同期再生時に用いられる第１の再生条件と、シングル再生時に用いられる第２の再生条件とを記憶する。
ＲＡＭ１１１は、接続部１０７を介して入力される画像データ、及び画像処理部１０９が画像処理を実行する際の画像データの一時保存等に使用される揮発性メモリである。
【００２３】
操作部１１２は、プロジェクタ１００の筺体に備え付けられている各種の操作釦である。操作部１１２は、プロジェクタ１００の機能制御やメニュー操作を行なうための操作インターフェースである。操作部１１２は、プロジェクタ１００がマルチ同期再生用のコンテンツを取得した場合の第１再生条件対応する設定値の入力を受け付ける入力受付手段として機能する。操作部１１２は、制御部１０８を介して、入力を受け付けた設定値をＲＯＭ１１０に記憶させる。
【００２４】
通信部１１３は、有線ＬＡＮ又は無線ＬＡＮ等の通信ネットワークを介して外部装置と通信するためのインターフェースを有する。通信部１１３は、外部装置から静止画データや動画データ等のコンテンツを取得する第１のコンテンツ取得手段として機能する。また、通信部１１３は、他のプロジェクタと通信可能に機能し、他のプロジェクタ１００との間で情報を送受信する。例えば、プロジェクタ１００ａは、プロジェクタ１００ｂがコンテンツを表示する際の状態に関する状態情報をプロジェクタ１００ｂから受信する。状態情報は、例えば、プロジェクタ１００がコンテンツを表示する際の輝度、色調、又はフレームレートのように、画像の見え方に影響するプロジェクタ１００の状態を示す情報である。
【００２５】
記録再生部１１４は、記録媒体１１５に格納された静止画データや動画データ等のコンテンツを取得したり、通信部１１３を介して受信した静止画データや動画データを記録媒体１１５に記録したりする第２のコンテンツ取得手段として機能する。記録再生部１１４は、記録媒体１１５から取得したコンテンツをＲＡＭ１１１に格納する。
【００２６】
記録媒体１１５は、静止画データ、動画データ、及びプロジェクタ１００において使用される制御データ等を記録することができるものであり、磁気ディスク、光学式ディスク又は半導体メモリ等の任意の方式の記録媒体である。記録媒体１１５は、着脱可能な記録媒体であっても、内蔵型の記録媒体であってもよい。
【００２７】
［プロジェクタ１００の基本動作］
次に、デジタルサイネージシステムを構成するプロジェクタ１００の基本的な動作について説明する。ここでの基本的な動作とは、一台のプロジェクタが、ユーザによって設定されたスケジュールに従って、記憶媒体に格納された静止画データ・動画データ（以下、コンテンツという）を再生表示する動作である。なお、以下の動作は、プロジェクタ１００が有する制御部１０８が、ＲＯＭ１１０に記憶されたプログラムによって実行する動作である。以下の説明においては、ユーザからの指示によって、上記のプログラムが起動しているものとして説明する。
【００２８】
制御部１０８は、複数のコンテンツを投影光学系１０１に投影させるための所定のスケジュールに基づいて、複数のコンテンツから選択したコンテンツを投影光学系１０１に投影させる。制御部１０８は、記録再生部１１４を制御し、記録媒体１１５からスケジュール情報を読み出す。図３は、スケジュール情報の一例を示す。図３に示すように、スケジュール情報においては、再生開始時刻、再生完了時刻及び再生対象コンテンツが関連づけられている。本明細書においては、再生開始時刻、再生完了時刻及び再生対象コンテンツが関連づけられている一つの単位のスケジュール情報をトラックと呼ぶ。
【００２９】
図３の例におけるトラック１は、９：００から１２：００までの時間帯に、コンテンツ欄３０１に記載されたコンテンツ（image1.jpg、movie1.mov、image2.jpg）を繰り返し再生することを示している。トラック２は、１２：００から１３：００の時間帯に、コンテンツ欄３０２に記載のコンテンツを繰り返し再生することを示している。トラック３は、１３：００から１７：００の時間帯に、コンテンツ欄３０３に記載のコンテンツを繰り返し再生することを示している。
【００３０】
なお、スケジュール情報に含まれるデータは、例えば、ユーザによって記録媒体１１５に書き込まれる。プロジェクタ１００は、静止画データ又は動画データを格納した記録媒体１１５がプロジェクタ１００に挿入された後に、スケジュールを設定するための操作画面を表示し、ユーザにより入力されたデータをスケジュール情報として記憶してもよい。
【００３１】
制御部１０８は、スケジュールに記録された最初のトラックのコンテンツ再生開始時刻（図３のStart Time）になると、この時間帯に再生するコンテンツ（図３のContents）を記録媒体１１５から読み出し、ＲＡＭ１１１に一時的に記憶する。なお、プロジェクタ１００は、現在時刻を計測する時刻計測部（不図示）を有しており、制御部１０８は、時刻計測部から現在時刻を取得するものとする。
【００３２】
制御部１０８は、ＲＯＭ１１０に記憶されたプログラムに基づいて、ＲＡＭ１１１上に記憶したコンテンツの一つの再生を実施する。そして、制御部１０８は、再生したコンテンツを画像処理部１０９に送信し、画像処理部１０９に、映像の画素数、フレームレート及び形状の変換処理等を実行させ、変換処理が施された１画面分の画像を液晶駆動部１０５に送信する。
【００３３】
続いて、制御部１０８は、液晶駆動部１０５に指示して、受信した１画面分の画像の赤色（Ｒ）、緑色（Ｇ）、青色（Ｂ）の各色成分の階調レベルに応じた透過率となるように、液晶パネル１０２を制御させる。そして、制御部１０８は、光源制御部１０４に指示して、光源１０３からの光の出力を制御させる。液晶パネル１０２を透過した赤色（Ｒ）、緑色（Ｇ）、青色（Ｂ）それぞれの光は、投影光学系１０１を介して、不図示のスクリーンに投影される。
【００３４】
なお、投影光学系１０１の操作をするユーザの指示が操作部１１２から入力されると、制御部１０８は、光学系制御部１０６に、投影画像の焦点を変更したり、光学系の拡大率を変更したりするように投影光学系１０１のアクチュエータを制御させる。
以上の処理によって、記録媒体１１５に記憶されたスケジュールに従って読み出した一つのコンテンツの投影表示が実施される。
【００３５】
制御部１０８は、投影表示を実施したコンテンツが静止画データであった場合には、一定時間が経過した後に、ＲＡＭ１１１に記憶している次のコンテンツの再生処理を実施して、同様の処理を行う。なお、制御部１０８が同一の静止画データの表示を継続する時間はスケジュールに記載してあってもよいし、プロジェクタ１００側で設定するようにしてもよい。制御部１０８は、投影表示を実施したコンテンツが動画データであった場合には、動画データの再生が完了した後に、ＲＡＭ１１１に記憶している次のコンテンツの再生処理を実施して、同様の処理を行う。
【００３６】
制御部１０８は、コンテンツ再生投影処理を、読み出したスケジュール情報に含まれているコンテンツ再生完了時刻（図３のEnding Time）になるまで繰り返して実施する。制御部１０８は、スケジュール情報が別のトラックがあることを示している場合は、当該トラックのコンテンツ再生開始時刻（図３のStart Time）になると、記録媒体１１５から当該トラックのコンテンツを読み出し、同様のトラック再生処理を実行する。
なお、制御部１０８は、最初のトラックの再生開始時刻に合わせて、光源制御部１０４に光源１０３の出射を開始させ、最後のトラックの再生完了時刻に合わせて光源１０３の出射を停止させてもよい。
【００３７】
［複数のプロジェクタ１００の連携動作］
次に、プロジェクタ１００ａとプロジェクタ１００ｂとの連携動作について説明する。
上述のとおり、制御部１０８は、通信部１１３又は記録再生部１１４が取得したコンテンツの種別に応じて、マルチ同期再生に適した第１の再生条件とシングル再生に適した第２の再生条件とを切り替える。制御部１０８は、マルチ同期再生時には、他のプロジェクタ１００の性能や状態に合わせた設定値を用いて、他のプロジェクタ１００と同期してコンテンツを再生する。これに対して、シングル再生時には、自機の表示用設定値、又はコンテンツに付随している表示プロパティの設定値を優先的に使用してコンテンツを再生する。
【００３８】
例えばプロジェクタ１００ａの制御部は、プロジェクタ１００ｂの対応する最大のフレームレートが、プロジェクタ１００ａの対応する最大のフレームレートよりも低い場合は、第１のフレームレートとして、プロジェクタ１００ｂの最大のフレームレートを用いる。また、プロジェクタ１００ａの制御部１０８は、プロジェクタ１００ａの通信部又は記録再生部が、単一のプロジェクタに表示するコンテンツを取得した場合、第２のフレームレートとして、プロジェクタ１００ａの対応する最大のフレームレートを用いる。
【００３９】
同様に、プロジェクタ１００ａの制御部１０８は、プロジェクタ１００ａの通信部１１３又は記録再生部１１４が、複数のプロジェクタに表示するコンテンツを取得した場合、第１の再生条件に対応する第１の画質でコンテンツを投影光学系１０１に投影させる。この場合、制御部１０８は、自身の輝度情報と比較して、プロジェクタ１００ａとプロジェクタｂとの間で輝度値が一致するように光源制御部１０４を制御し、光源１０３からの光量を調整する。例えば、プロジェクタ１００ａの制御部１０８は、プロジェクタ１００ｂが使用している輝度が、プロジェクタ１００ａの輝度よりも低いことを示している場合に、プロジェクタ１００ｂの輝度と同じ輝度でコンテンツを投影光学系１０１に投影させる。
【００４０】
また、制御部１０８は、通信部１１３又は記録再生部１１４が、単一のプロジェクタ１００に表示するコンテンツを取得した場合、第２の再生条件に対応する第２の画質でコンテンツを投影光学系１０１に投影させる。例えば、プロジェクタ１００ａの制御部１０８は、プロジェクタ１００ｂが使用している輝度によらず、プロジェクタ１００ａで使用可能な最大輝度でコンテンツを投影光学系１０１に投影させる。
【００４１】
なお、制御部１０８は、例えば、後述するスケジュール情報とともに記録媒体１１５に記録されている他のプロジェクタ１００に関する状態情報を参照して、他のプロジェクタ１００が使用可能な最大フレームレートや最大輝度を認識することができる。制御部１０８は、通信部１１３を介して他のプロジェクタ１００から最大フレームレートや最大輝度を示す情報を取得してもよい。
【００４２】
図４は、プロジェクタ１００ａ及びプロジェクタ１００ｂによる連携動作のフローチャートである。図４に示す動作は、制御部１０８がＲＯＭ１１０に記憶されたプログラムに基づいて各機能ブロックを制御することで実行される。
【００４３】
まず、ステップＳ４００において、制御部１０８は、記録再生部１１４を制御して記録媒体１１５に記録されているスケジュールをＲＡＭ１１１に展開する。そして、制御部１０８は、スケジュールに含まれるいずれかのトラックの再生開始時刻となるまで待機し、当該トラックの再生時刻になると、当該トラックを再生対象トラックとして、ステップＳ４０１に遷移する。
【００４４】
制御部１０８は、ステップＳ４０１において、記録再生部１１４を制御して、記録媒体１１５に格納された複数のコンテンツのうち再生対象トラックに含まれる複数のコンテンツから一つを選択する。制御部１０８は、選択したコンテンツをＲＡＭ１１１に一時的に記録して、ステップＳ４０２に遷移する。なお、制御部１０８は、トラックに含まれる複数のコンテンツからランダムに一つのコンテンツを選択してもよいし、付加情報により示されるトラックの再生順に基づいて一つのコンテンツを選択してもよい。また、制御部１０８は、コンテンツの全体をＲＡＭ１１１に展開する必要はなく、動画データのようにサイズが大きなコンテンツの場合は、以降で説明する再生処理において処理可能なフレーム単位でＲＡＭ１１１に読み出してもよい。
【００４５】
続いて、ステップＳ４０２で、制御部１０８は、ＲＡＭ１１１に記録したコンテンツがシングル再生用コンテンツかマルチ再生用コンテンツかを判定する。制御部１０８は、ＲＡＭ１１１に記録したコンテンツがシングル再生用コンテンツであると判定した場合にはステップＳ４０３に遷移し、マルチ再生用コンテンツであると判定した場合にはステップＳ４０４に遷移する。
【００４６】
ここで、コンテンツの種別の判定処理の方法について詳細を説明する。図５は、プロジェクタ１００の記録媒体１１５に記録されているスケジュール情報の例を示す図である。図５（ａ）は、プロジェクタ１００ａの記録媒体１１５に記録されているスケジュール情報を示す図である。図５（ｂ）は、プロジェクタ１００ｂの記録媒体１１５に記録されているスケジュール情報を示す図である。これらのスケジュール情報においては、９：００から１２：００までコンテンツの再生を行うことが規定されている。
【００４７】
図５（ａ）に示すように、プロジェクタ１００ａが再生するべきコンテンツは、動画データbird.movと動画データm_landscape1-1.movである。図５（ｂ）に示すように、プロジェクタ１００ｂが再生するべきコンテンツは、動画データflower.movと動画データm_landscape1-2.movである。ファイル名のプレフィックスに"m_"があるファイルは、マルチ再生用コンテンツであることを示している。
【００４８】
このようにファイル名の命名規則を定めておくことにより、制御部１０８は、コンテンツのファイル名に基づいて、コンテンツがマルチ同期再生用のコンテンツであるか、シングル再生用のコンテンツであるかを判定することができる。したがって、ユーザが、マルチ再生用コンテンツ、またはシングル再生用コンテンツの命名規則に従ったファイル名を決定すれば、制御部１０８は、コンテンツに適した再生方法の種別を判定し、所望の再生方法でコンテンツを再生させることができる。
【００４９】
なお、ここではファイル名によってシングル再生用コンテンツかマルチ再生用コンテンツかを判定する例を示したが、プロジェクタ１００は、シングル再生用コンテンツを格納するフォルダとマルチ再生用コンテンツを格納するフォルダを分けることにより、制御部１０８が、表示する対象となるコンテンツがシングル再生用コンテンツかマルチ再生用コンテンツかを判定できるようにしてもよい。また、コンテンツの拡張領域に、マルチ再生用コンテンツであることを示すフラグを設けることにより、制御部１０８が、シングル再生用コンテンツかマルチ再生用コンテンツかを判定できるようにしてもよい。またコンテンツとは別に、コンテンツの属性を示すテーブルを別に作成し、このテーブルを記録媒体１１５に記憶させておくことにより、制御部１０８が、シングル再生用コンテンツかマルチ再生用コンテンツかを判定できるようにしてもよい。
【００５０】
図４に戻り、ステップＳ４０２における判定が終了した後の処理について説明する。制御部１０８は、ステップＳ４０２において、表示する対象となるコンテンツがシングル再生用コンテンツであると判定した場合には、ステップＳ４０３で、ＲＯＭ１１０に記憶されたプログラムに基づいて、シングル再生用の再生処理を実行する。処理が完了するとステップＳ４０７に遷移する。制御部１０８は、ＲＯＭ１１０に記憶されたシングル再生用の再生条件に基づいて、シングル再生用と判断したコンテンツを再生する。制御部１０８が、再生する対象となるコンテンツがシングル再生用コンテンツであると判定した場合には、マルチ投影面を構成するプロジェクタ間での協調動作を実施しない。したがって、プロジェクタ１００は、自身の処理能力に応じた再生処理を実施することが可能となる。
【００５１】
例えば、プロジェクタ１００ａとプロジェクタ１００ｂにおいて、プロジェクタ１００ａは３０ｆｐｓでの動画再生が可能である一方で、プロジェクタ１００ｂは２４ｆｐｓでの動画再生までしか対応していないとする。さらに、プロジェクタ１００ａが再生するべき図５（ａ）に示したシングル再生用コンテンツbird.movと、プロジェクタ１００ｂが再生するべき図５（ｂ）に示したシングル再生用コンテンツflower.movとが、ともに３０ｆｐｓのフレームレートであるとする。
【００５２】
このような場合であっても、各プロジェクタ１００は、それぞれの能力に応じた処理が可能であるため、プロジェクタ１００ａは３０ｆｐｓでの動画再生を実施し、プロジェクタ１００ｂは自身の処理限界である２４ｆｐｓで動画再生を行う。また、プロジェクタ１００ａ及びプロジェクタ１００ｂは、それぞれの間での輝度調整及び色調整を実施しないため、プロジェクタ１００に適した設定値に基づいた輝度及び色調でコンテンツを表示することが可能となる。
【００５３】
図６（ａ）は、プロジェクタ１００ａ及びプロジェクタ１００ｂがシングル再生を行う時の様子を示したものである。図６（ａ）においては、プロジェクタ１００ａで再生するコンテンツとプロジェクタ１００ｂで再生するコンテンツとが異なるため、マルチ同期再生を実施しなくとも視聴者に違和感を与えることがない。したがって、ステップＳ４０３の処理により、視聴者に違和感を与えることなく、各プロジェクタの処理能力に応じたコンテンツ再生が可能となる。
【００５４】
一方、制御部１０８は、ステップＳ４０２において、複数のプロジェクタ１００に表示するコンテンツを取得したと判定した場合、他のプロジェクタ１００の処理能力に合わせた再生条件に基づいてコンテンツを投影光学系１０１に投影させる。制御部１０８は、例えばステップＳ４０４〜Ｓ４０６で、通信部１１３を制御し、マルチ投影面を構成する他のプロジェクタ１００ｂがコンテンツを表示する際の輝度、色調、及びフレームレート等を示す前述の状態情報をプロジェクタ１００ｂから取得する。そして、取得した状態情報に基づいて決定された再生条件によりコンテンツを表示する。
【００５５】
例えば、プロジェクタ１００ａの記録媒体１１５のスケジュール情報には、マルチ投影面を構成する他のプロジェクタ１００として、プロジェクタ１００ｂのＩＰアドレスが含まれているとする。プロジェクタ１００ａの制御部１０８は、記録媒体１１５に記録されているスケジュール情報を読み出すことで、連携する対象のプロジェクタ１００が一台であり、連携するプロジェクタ１００と通信するためのＩＰアドレスを認識することが可能となる。さらに、プロジェクタ１００ｂの記録媒体１１５のスケジュール情報にプロジェクタ１００ａのＩＰアドレスを記載しておくことで、各プロジェクタ１００が連携する対象のプロジェクタを識別して通信することが可能になる。
【００５６】
続いて、ステップＳ４０５において、制御部１０８は通信部１１３を制御し、マルチ投影面を構成する他のプロジェクタ１００の色情報を収集する。そして、制御部１０８は、自身の色情報と比較して、プロジェクタ１００間で色調が一致するように画像処理部１０９を制御して色調変換を実施し、ステップＳ４０６に遷移する。ステップＳ４０４、Ｓ４０５の処理をプロジェクタ１００ａおよびプロジェクタ１００ｂが実施することにより、マルチ投影面全体での輝度値と色調が一致することになる。
【００５７】
ステップＳ４０６において、制御部１０８は、マルチ投影面を構成する各プロジェクタ１００間でコンテンツの再生が同期するように処理を実行し、処理が完了するとステップＳ４０７へ遷移する。ステップＳ４０７において、制御部１０８は、コンテンツを投影光学系１０１に投影させる前に、他のプロジェクタ１００との間で時刻を合わせる。
【００５８】
制御部１０８は、再生対象の動画データを同期再生する場合には、再生開始に先立ち、制御部１０８が通信部１１３を制御し、正確な時刻同期処理を行う。制御部１０８は、例えばＮＴＰ（Network Time Protocol）プロトコルを用いることにより、時刻を同期させる。そして、各プロジェクタの制御部１０８は、コンテンツの再生開始時刻になった際に、ＲＡＭ１１１に記憶されている動画データの再生を開始することで動画データの同期再生を実現する。
【００５９】
各プロジェクタ１００間で動画データの処理能力に差がある場合には、制御部１０８が通信部１１３を制御して、他のプロジェクタ１００の処理能力を示す情報を取得し、他のプロジェクタ１００の処理能力と自身の処理能力とを比較する。そして、制御部１０８は、それぞれのプロジェクタ１００の処理能力が一致するように、フレームを間引いて再生する処理を実行してもよい。
【００６０】
プロジェクタ１００は、静止画データを同期再生する場合、再生開始に先立ち、制御部１０８が通信部１１３を制御し、他のプロジェクタ１００との間でマスターとなる一台のプロジェクタを決定してもよい。そして、コンテンツの再生開始時刻になると、各プロジェクタ１００の制御部１０８が、ＲＡＭ１１１に記憶された静止画データのデコード処理を、ＲＯＭ１１０に記憶されているプログラムに基づいて実行する。マスター以外のプロジェクタ１００（例えばプロジェクタ１００ｂ）の制御部１０８は、デコードが完了すると、マスターとなる一台のプロジェクタ１００（例えばプロジェクタ１００ａ）に対して、通信部１１３を経由してデコードが完了したことを通知する。
【００６１】
マスターであるプロジェクタ１００ａの制御部１０８は、コンテンツを投影光学系１０１に投影させる前に、他のプロジェクタ１００ｂに、コンテンツを表示させる指示を送信する。例えば、プロジェクタ１００ａの制御部１０８は、プロジェクタ１００ｂにコンテンツを表示させる指示を送信した後に、自身のデコードが完了し、かつ通信部１１３を介してプロジェクタ１００ｂからデコード完了通知を受信するまで待機する。プロジェクタ１００ａの制御部１０８は、プロジェクタ１００ａ及びプロジェクタ１００ｂのデコードが完了したタイミングで、自身のデコード結果を表示することを画像処理部１０９に指示する。さらに、プロジェクタ１００ａの制御部１０８は、通信部１１３を制御して、他のプロジェクタ１００ｂにデコード結果の表示を指示する。
【００６２】
プロジェクタ１００ｂの制御部１０８は、通信部１１３を制御して、デコード結果の表示指示を受信するまで待機する。プロジェクタ１００ｂの制御部１０８は、表示指示を受信したタイミングで画像処理部１０９を制御して、デコード結果の表示を実行する。このようにして、静止画データの同期再生を実行する。
【００６３】
図６（ｂ）は、マルチ再生をしている様子を示したものである。この場合は、プロジェクタ１００ａとプロジェクタ１００ｂとの間で、再生するコンテンツを繋ぎ合わせることで一つのコンテンツを構成している。したがって、プロジェクタ１００ａとプロジェクタ１００ｂとの間で、輝度、色調、及びコンテンツの更新タイミングを一致させることで、視聴者に違和感を与えないようにする必要がある。この状況においては、ステップＳ４０４〜Ｓ４０６の処理において、プロジェクタ１００ａとプロジェクタ１００ｂとが協調して動作することにより、この目的を達成できる。
【００６４】
ステップＳ４０７において、制御部１０８は、ステップＳ４００において決定した再生対象トラックの再生完了時刻となっているかを判定し、再生完了時刻となっていればステップＳ４０８に遷移し、再生完了時刻となっていなければステップＳ４０１に遷移する。そして、制御部１０８は再生対象トラックに含まれるコンテンツの選択処理を再度実行する。
【００６５】
ステップＳ４０８において、制御部１０８は、ステップＳ４００において読み出したスケジュール情報に未再生のトラックがあるかどうかを判定し、未再生のトラックがある場合はステップＳ４００に戻り、再生前のトラックに対して同様の処理を実行する。制御部１０８は、全てのトラックの再生が完了している場合には、本動作フローを終了する。
以上の動作により、表示システムＳは、シングル再生とマルチ同期再生が混在するデジタルサイネージシステムにおいて、シングル再生及びマルチ同期再生のそれぞれに適した画質でコンテンツを表示することができる。
【００６６】
［本実施形態の表示システムＳによる効果］
以上説明したように、表示システムＳのプロジェクタ１００ａの制御部１０８が、複数のプロジェクタ１００に表示するコンテンツを取得した場合、プロジェクタ１００ｂと同質の画像が見えるようにする第１の再生条件に基づいてコンテンツを表示させる。また、制御部１０８は、単一のコンテンツを取得した場合、第１の再生条件と異なる第２の再生条件に基づいてコンテンツを表示させる。このようにすることで、複数のプロジェクタに表示するコンテンツを表示する場合に、複数のプロジェクタの性能が異なる場合であっても、同質の画像に見えるようにコンテンツを表示することができる。そして、単一のプロジェクタ１００にコンテンツを表示する場合に、プロジェクタ１００の性能を最大限に活かした画像を表示することができる。
【００６７】
［変形例１］
本発明の目的は、前述した実施形態の機能を実現するソフトウェアのプログラムコードを記録した記憶媒体を、表示手段に表示させる機能を有する電子機器に供給することによっても達成される。このとき、記憶媒体が供給された電子機器の制御部を含むコンピュータ（またはＣＰＵやＭＰＵ）は、記憶媒体に格納されたプログラムコードを読み出して、読み出したプログラムコードに基づく表示制御方法を実行する。この場合、記憶媒体から読み出されたプログラムコード自体が前述した実施形態の機能を実現することになり、プログラムコード自体及びそのプログラムコードを記憶した記憶媒体は本発明を構成することになる。
【００６８】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
また、上述のプログラムコードの指示に基づき、電子機器上で稼動しているＯＳ（基本システムやオペレーティングシステム）等が処理の一部又は全部を行い、その処理によって前述した実施形態の機能が実現される場合も含まれることは言うまでもない。
【００６９】
さらに、記憶媒体から読み出されたプログラムコードが、電子機器に挿入された機能拡張ボードやコンピュータに接続された機能拡張ユニットに備わるメモリに書込まれ、前述した実施形態の機能が実現される場合も含まれることは言うまでもない。このとき、そのプログラムコードの指示に基づき、その機能拡張ボードや機能拡張ユニットに備わるＣＰＵ等が実際の処理の一部又は全部を行う。
【００７０】
［変形例２］
上記の説明では、マルチ表示の際に使用される第１の再生条件が、予めユーザにより入力値に基づいて決定される例を示したが、第１の再生条件は、他の手段により決定されてもよい。例えば、制御部１０８は、他のプロジェクタが投影しているコンテンツを撮影して得られた撮像画像に基づいて第１の再生条件を決定してもよい。
【００７１】
図７は、本変形例におけるプロジェクタ２００の構成を示す図である。図７に示すプロジェクタ２００は、撮像画像取得部１１６をさらに有する点で、図２に示したプロジェクタ１００と異なり、他の点で同じである。撮像画像取得部１１６は、例えばカメラであり、生成した撮像画像を制御部１０８に通知する。撮像画像取得部１１６は、外部のカメラから撮像画像を取得してもよい。
【００７２】
本変形例においては、表示システムＳがプロジェクタ２００ａ及びプロジェクタ２００ｂを有するものとする。プロジェクタ２００ａの制御部１０８は、撮像画像取得部１１６から取得した撮像画像を用いて、プロジェクタ２００ａが表示している画像とプロジェクタ２００ｂが表示している画像とを比較する。そしてプロジェクタ２００ａの制御部１０８は、この比較結果に基づき、プロジェクタ２００ｂが表示している画像と同質の画像を表示できるように色調、輝度、及びフレームレートを制御する。この際、制御部１０８は、例えば、複数のプロジェクタ２００が表示している画像のうち、輝度が低い画像の輝度、又はフレームレートが低い画像のフレームレートになるように、輝度又はフレームレートを変更する。プロジェクタ２００ａの制御部１０８は、複数のプロジェクタ２００のうちマスターに設定されているプロジェクタ２００ｂが表示している画像と同質の画像を表示できるように輝度又はフレームレートを制御してもよい。
【００７３】
［変形例３］
上記の説明では、表示システムＳが２台のプロジェクタ１００を有する例を示したが、プロジェクタ１００の台数は３台以上であってもよい。この場合も、例えば、それぞれのプロジェクタ１００の記憶部１１１は、予めユーザにより設定された色調、輝度及びフレームレートに対応する第１の再生条件の設定値を記憶する。そして、制御部１０８は、３台のプロジェクタで同時に表示するコンテンツを表示する際に、第１の再生条件の設定値によりコンテンツを表示させる。
【００７４】
［変形例４］
上記の説明では、表示システムＳが複数のプロジェクタ１００を有する例を示したが、表示システムＳが有する表示装置はプロジェクタ１００に限らず、他の表示装置であってもよい。例えば、表示装置は、自身の画面に画像を表示可能なディスプレイであってもよい。
【００７５】
以上、本発明の実施の形態、およびいくつかの実施の形態をもとに説明した。これらの任意の組み合わせによって生じる新たな実施の形態も、本発明の実施の形態に含まれる。組み合わせによって生じる新たな実施の形態の効果は、もとの実施の形態の効果を合わせ持つ。また本発明の技術的範囲は上記実施の形態に記載の範囲には限定されず、その要旨の範囲内で種々の変形及び変更が可能である。
【符号の説明】
【００７６】
１００  プロジェクタ
１０８  制御部
１１３  通信部
１１４  記録再生部
【図１】
2018010109.tif 000003
【図２】
2018010109.tif 000004
【図３】
2018010109.tif 000005
【図４】
2018010109.tif 000006
【図５】
2018010109.tif 000007
【図６】
2018010109.tif 000008
【図７】
2018010109.tif 000009